(57)【要約】【課題】トイレ内等で下穿きを脱着する際に、上半身を簡単に支えることが可能な安価な転倒防止用上半身支持ベルトを提供する。【解決手段】人体の上半身に巻き付け可能な転倒防止用上半身支持ベルトである。ベルト１の一端部１ａは、トイレ内等の壁面に配置された手摺２の低位置に対して連結可能とされ、ベルト１の他端部１ｂは、人体の腰回りから背中側に回し反対側の脇下を通して手摺２の低位置よりも高い高位置に連結可能とした。【選択図】図１
0003174677.tif 000002
【実用新案登録請求の範囲】
【請求項１】
人体の上半身に巻き付け可能な転倒防止用上半身支持ベルトであって、当該ベルトの一端部を、トイレ内等の壁面に配置された手摺に連結可能とし、当該ベルトの他端部を、人体の背中側に回した後に前記手摺に連結可能としたことを特徴とする転倒防止用上半身支持ベルト。
【請求項２】
前記ベルトの一端部を、前記手摺の低位置に連結可能とし、当該ベルトの他端部を、人体の腰回りから背中側に回し反対側の脇下を通して前記手摺の低位置よりも高い高位置に連結可能としたことを特徴とする請求項１の転倒防止用上半身支持ベルト。
【請求項３】
前記ベルトの一端部を前記手摺に固定し、前記ベルトの他端部を前記手摺に着脱可能としたことを特徴とする請求項１又は２の転倒防止用上半身支持ベルト。
【請求項４】
前記ベルトの他端部に、面ファスナのパイル部とフック部を配置すると共に、当該パイル部とフック部の間にゴム製のライニング部を配置したことを特徴とする請求項１から３のいずれか１の転倒防止用上半身支持ベルト。
【考案の詳細な説明】
【技術分野】
【０００１】
本考案は、転倒防止用上半身支持ベルトに関する。
【背景技術】
【０００２】
高齢者や身体障害者等のための人体介助用に種々のベルトが提案されている。例えば特許文献１の図６には、高齢者等が歩行訓練をする際に後方に転倒するのを予防する後方転倒防止ベルト２１が開示されている。また、特許文献２の図２０には、上半身を介助者が支えるための腰ひも２０３が開示されている。
【先行技術文献】
【特許文献】
【０００３】
【特許文献１】国際公開ＷＯ９８／０００８７号公報（図６の後方転倒防止ベルト２１）
【特許文献２】特開平８−２１５２５０号公報（図２０の腰ひも２０３）
【考案の概要】
【考案が解決しようとする課題】
【０００４】
高齢者や身体障害者等がトイレ内等で下穿きを脱着する場合など、足もとが不安定になって転倒することがよくある。このような転倒を予防するため、トイレ内の壁面には手摺が配置されていることも多いが、高齢者や身体障害者等は転倒しそうになった時に咄嗟に手摺に掴まることができないこともある。手摺に掴まることができないと、そのまま後側に仰向けに転倒したり、膝を折るようにして便器の上に尻餅をついたりして、怪我をする可能性が非常に高い。介助者が傍にいればそのような事故を避けることができるかも知れないが、介助者の手を借りずにトイレに一人で入ってしまう場合も多い。
【０００５】
そのような場合に、高齢者や身体障害者等が自分自身の上半身を簡単に支えることができる安価な転倒防止用ベルトがあると便利である。従来の介助用ベルトの中には、そのような目的に適したものが見当たらなかった。
【０００６】
本考案は、以上の事情に鑑みて考案するに至ったものであって、その目的は、トイレ内等で下穿きを脱着する際に、上半身を簡単に支えることが可能な安価な転倒防止用上半身支持ベルトを提供することにある。
【課題を解決するための手段】
【０００７】
本考案に係る転倒防止用上半身支持ベルトは、人体の上半身に巻き付け可能な転倒防止用上半身支持ベルトであって、当該ベルトの一端部を、トイレ内等の壁面に配置された手摺に連結可能とし、当該ベルトの他端部を、人体の背中側に回した後に前記手摺に連結可能としたことを特徴とする転倒防止用上半身支持ベルトである。
【０００８】
本考案に係る転倒防止用上半身支持ベルトは、ベルトの一端部を手摺に連結し、他端部を人体の背中側に回した後に手摺に連結することで、上半身を確実に手摺に支持することができる。
【０００９】
前記ベルトは、その一端部を手摺の低位置に連結可能とし、他端部を人体の腰回りから背中側に回し反対側の脇下を通して手摺の低位置よりも高い高位置に連結可能とすることができる。これにより、上半身の背中側にベルトを斜めに横断させ、上半身の広い範囲を確実かつ安定的に手摺に支持することができる。
【００１０】
また、ベルトの一端部を手摺に予め固定しておき、ベルトの他端部を手摺に着脱可能とすることで、ベルトの一端部を手摺にいちいち取り付ける手間がなくなり、ベルトを簡単かつ短時間に上半身に装着することができる。また、ベルトの一端部を手摺に予め固定しておくことでベルトの紛失を防止することができる。
【００１１】
ベルトの端部を手摺に巻き付けて固定する場合、手摺に巻き付ける側のベルトの片側側面に、滑り止め用のゴム製のライニング部を貼り付けてもよい。
【００１２】
また、ベルトの他端部に、必要に応じて、面ファスナのパイル部とフック部を配置すると共に、当該パイル部とフック部の間にゴム製のライニング部を配置することができる。
【００１３】
これにより、ベルトの他端部を手摺に取り付ける位置を自在に変更するができ、かつ、ゴム製のライニング部によってベルトを連結した位置がずれるのを防止することができる。
【００１４】
転倒防止用上半身支持ベルトの材質は、上半身を支えるのに十分な強度を有するものであれば材質は特に問わないが、肌に直接触れても不快感や痛みがなく、かつ、下穿きの脱着の際の上半身の動きを過度に拘束しないように、適度の柔軟性又は伸縮性があるとよい。また、摩擦に強く難燃性であるのが望ましい。
【考案の効果】
【００１５】
本考案に係る転倒防止用上半身支持ベルトは、ベルトの一端部を手摺に連結し、他端部を人体の背中側に回した後に手摺に連結することで、上半身を確実に手摺に支持することができる。
【図面の簡単な説明】
【００１６】
【図１】本考案の一実施形態に係る転倒防止用上半身支持ベルトを上半身に装着した状態を示す斜視図である。
【図２】本考案の一実施形態に係る転倒防止用上半身支持ベルトを、手摺に対する連結位置を下げて上半身に装着した状態を示す斜視図である。
【図３】ベルトの一端部の連結部を示す側面図である。
【図４】ベルトの他端部の連結部を示す側面図である。
【図５】本考案の一実施形態に係る転倒防止用上半身支持ベルトの他端部の変形例を示す斜視図である。
【図６】図５の変形例に係るベルトの他端部を手摺に巻き付けた状態の断面図である。
【考案を実施するための形態】
【００１７】
以下、本考案に係る転倒防止用上半身支持ベルトについて図面を参照して説明する。
図１に示すように、本考案に係る転倒防止用上半身支持ベルト１は、ベルト１の一端部１ａを手摺２の低位置に固定し、反対側の他端部１ｂを手摺２の高位置に連結する。ここで、「低位置」と「高位置」は、手摺２における相対的高さ位置を示すに過ぎず、手摺２の特定の高さ位置を示すものではない。「低位置」は、通常、手摺２の前に立った人の腰高位置であり、「高位置」は、通常、肩から脇下の高さ位置である。なお、ベルト１の一端部１ａと他端部１ｂを手摺２のほぼ同じ高さ位置に連結することも可能である。
【００１８】
使用者１０の身長が低い場合は、図２のように、ベルト１の一端部１ａを手摺２のさらに低い位置に固定し、ベルト１の他端部１ｂも同様に低い位置にずらして連結する。要するに、使用者１０の腰の高さと脇下高さに対応して、ベルト１の両端部１ａ、１ｂを手摺２に固定・連結すればよい。
【００１９】
ベルト１の一端部１ａは、図３に示すように、手摺２に固定的に取り付けられた円筒金具３に対して連結部３ａで固定されている。ベルト１の他端部１ｂは、図４に示すように、ベルト１の他端部１ｂに連結部４ａを介して取り付けられた金輪４を、手摺２に固定されたフック金具５に着脱可能に連結する。フック金具５は、手摺２に固定された固定環５ａと、この固定環５ａに固定されたフック部５ｂを有する。フック部５ｂは、その基部が固定環５ａの下部に固定され、先端が上方に向かって数センチの長さで延びている。
【００２０】
本考案に係る転倒防止用上半身支持ベルト１を使用する場合、図１のように、ベルト１の他端部１ｂを手で持ち、当該他端部１ｂを自分の右側又は左側の腰の辺りから背中側に回し、反対側の脇の下を通して胸の前まで持ち上げ、他端部１ｂの金輪４を手摺２の上部に固定配置したフック部５ｂの先端に引っ掛けることで上半身を手摺２に固定する。
【００２１】
ベルト１の長さは、短すぎると体を動かし難く下穿きの脱着にも差し支えるので、ベルト１の両端を手摺に連結した状態でも、しゃがんだり立ったりすることができる程度の遊びを持たせるようにする。図示例ではベルト１の長さは一定であるが、長さ調節可能なように、ベルト１のいずれか一方の端部に折り返し部分を設けてもよい。
【００２２】
このように、ベルト１を背中側から脇下を通して上半身に装着すると、万一足もとがふらついて倒れそうになったり、或いは膝が折れてそのまま便器の上に沈み込みそうになったりしても、ベルト１が脇の下を通っているので、上半身が手摺２に確実に支持され、転倒して怪我をする大事に至ることがない。
【００２３】
以上、本考案の一実施形態について説明したが、本考案は前記実施形態に限定されることなく、種々の変形が可能である。例えば、前記実施形態では、ベルト１の他端部１ｂに取り付けた金輪４を手摺２のフック部５ｂに引っ掛けるようにしたが、手摺２に対するベルト１の連結方法はこのように引っ掛け構造に限られない。例えば、図５と図６に示すように、面ファスナ７を利用して手摺に連結する構造であってもよい。
【００２４】
すなわち、この連結構造はベルト１の他端部１ｂの片側側面に、面ファスナ７を構成するパイル部７ａとフック部７ｂを配置したもので、ベルト１の他端部１ｂを図６のように手摺２に回してベルト通し８に挿入することで、パイル部７ａとフック部７ｂを接合し、ベルト１の他端部１ｂを手摺２に連結することができる。パイル部７ａとフック部７ｂは位置を入れ換えて配置してもよい。
【００２５】
また、ベルト１の他端部１ｂが滑らないように、パイル部７ａとフック部７ｂの間に図５のようにゴム製のライニング部９を配置してもよい。また、ベルト１の両端部１ａ１ｂをいずれも着脱可能に手摺２に連結するようにしてもよい。また、本考案の転倒防止用上半身支持ベルトは、トイレの手摺の他に、浴室等の壁面に配置された手摺に連結して前述と同じように使用することが可能である。また、手摺２は前記実施形態では断面円形のパイプ状のものを図示したが、手摺はこのような形状に限られないし、配置方向も上下方向の他、斜めに配置された手摺にも連結可能である。
【符号の説明】
【００２６】
１  転倒防止用上半身支持ベルト
２  手摺
３  円筒金具
４  金輪
５  フック金具
７  面ファスナ
８  ベルト通し
９  ゴム製ライニング
【図１】
0003174677.tif 000003
【図２】
0003174677.tif 000004
【図３】
0003174677.tif 000005
【図４】
0003174677.tif 000006
【図５】
0003174677.tif 000007
【図６】
0003174677.tif 000008